(57)【要約】【課題】  炙り作業時に高温になるトーチバーナーを調理台に安全に設置でき、かつ、炙り作業時には邪魔にならないトーチバーナー設置具を提供する。【解決手段】  トーチバーナー１０は、調理台３０に、縦長の設置具１００を介して据え置かれる。設置具１００は、強磁性体ではない塩化ビニル等の平板状のシート部で構成される。平板状シート部には、磁石１０１、１０２ａ、１０２ｂが互いに離れて埋設される。３つの磁石１０１、１０２ａ、１０２ｂは、円形の設置領域１００Ａの外周に沿って配置される。磁石１０２ａ、１０２ｂは磁界の向きが同じで、磁石１０１は磁界の向きが逆に埋設されている。トーチバーナー１０の底面１０Ａが、円形の設置領域１００Ａに近づくと底面１０Ａが設置領域１００Ａと一致するように磁石１０１、１０２ａ、１０２ｂによって誘導され、固定される。【選択図】  図２
2018179427.tif 000002
【特許請求の範囲】
【請求項１】
カセットボンベ本体とバーナー部とからなるトーチバーナーを調理台に設置するためのトーチバーナーの設置具であって、
該設置具は、強磁性体ではない平板状のシート部と、該シート部に互いに離れて埋設された２つ以上の磁石とからなり、
前記２つ以上の磁石は、各々、前記シート部の上面側に一方の磁極が、下面側に他方の磁極が位置するように配置されると共に、該２つ以上の磁石のうち１つの磁石は、他の磁石と磁界の向きが逆となるように配置されていることを特徴とするトーチバーナーの設置具。
【請求項２】
前記シート部には、少なくとも３つの磁石が埋設され、
該３つの磁石は、トーチバーナーを設置する際に前記カセットボンベ本体の底面を当接させる円形の設置領域の外周に沿って配置されることを特徴とする請求項１に記載のトーチバーナーの設置具。
【請求項３】
前記シート部は、前後縦長に形成され、
前記シート部の前記円形の設置領域が、当該中央部より縦長の後方側に片寄るよう形成されると共に、
前記少なくとも３つの磁石は、前記円形の設置領域に内接する２等辺三角形であって、当該底辺が前記後方に、当該頂角が前記シート部の前方に位置し、当該底辺が当該等辺より短くなっており、
前記少なくとも３つの磁石のうち、磁界の向きが同じ少なくとも２つの磁石が、前記２等辺三角形の２つの底角の頂点に対応して配置され、
前記少なくとも３つの磁石のうち、磁界の向きが逆の１つの磁石が、前記２等辺三角形の頂角の頂点に対応して配置されていることを特徴とする請求項２に記載のトーチバーナーの設置具。
【発明の詳細な説明】
【技術分野】
【０００１】
本発明は、トーチバーナーの設置具に関し、特にカセットボンベにカートリッジ型のバーナー部が取り付けられたトーチバーナーの設置具に関する。
【０００２】
飲食物の提供に当たって、生の食材に焦げ目をつける調理方法、所謂「炙り」が近年注目されている。
たとえば、中華料理を提供する飲食店、日本料理店、寿司店等にあっては、食材の表面に焦げ目を付けて食感を高める調理法「炙り」が知られている。
高級店では「炙り」を客の目の前で行い、そのエンターテイメント性を高めることで、飲食物の提供の高付加価値化を図っている。この「炙り」には、トーチバーナーが用いられる。
【０００３】
一般的に用いられるトーチバーナーとしては、市販のカセットコンロに、カートリッジ型のバーナー部を取り付けたものが知られている（たとえば、岩谷産業株式会社の「カセットガストーチバーナー」のホームページ〈ＵＲＬ：http://www.i-cg.jp/product/burner/cb-tc-cj2/〉、新富士バーナー株式会社の「炙りマスター」のホームページ〈ＵＲＬ：http://www.shinfuji.co.jp/soto/products/kc-800/〉）。
このような周知のトーチバーナーは、取り付けられる鉄製のバーナー部（カートリッジ型）が、カセットボンベ本体と比較して重く、しかも、該バーナー部の形状が前方に突出した形状となっているため重量バランスが悪く、不使用時に据え置くと、倒れやすいという問題がある。
【０００４】
このため従来より、図１５から図１７に示すようなトーチバーナー１０の設置具２０が提案されている。
この従来の設置具２０は、樹脂製で射出成形等で形成されるもので、その中央に設けられた円柱状凹部２０Ａにカセットボンベ１の下側が挿入され、円柱状凹部２０Ａの内周面に設けられた爪部２１、２１、２１によって、カセットボンベ１の底面鍔部１Ａを引っかけて固定するようになっている（図１６）。
この設置具２０は、「炙り」を行う場合にも、カセットボンベ１に爪部２１、２１、２１で固定されたままであるため、樹脂製とすることで軽量化が図られている。
また、重量の重いバーナー部２は、前方に突出しているためトーチバーナー１０の重量バランスが崩れ、トーチバーナー１０が前方に倒れやすい。このため設置具２０は、トーチバーナー１０が転倒し難いように、その底面の形状がバーナー部２の吹き出し方向に沿って前方に長い楕円形となっており、トーチバーナー１０を据え置いた際の安定性を高めている（図１６）。
【０００５】
ところで、トーチバーナー１０は、バーナー部２が、「炙り」の作業によって高温になるため、万が一にも倒れると非常に危険である。
従来の設置具２０は、上記のように底面が、カセットボンベ１の底面より大きく、かつ、前方に倒れ難くなるよう楕円形となっているものの、設置具２０自体の重量が、バーナー部２と比較して軽いこと、更には、不使用時に調理台等に乗せるだけであることから、トーチバーナー１０を確実に倒れないようには不十分なものであった。
特に、トーチバーナー１０の使用によってカセットボンベ１内のガス（液体化ガス）が減ると、カセットボンベ１が軽くなってトーチバーナー１０自体の重量バランスが更に悪くなり、より転倒し易くなるという問題がある。
【０００６】
また、飲食店で用いられる調理台はスチール製が多く、設置具２０が取り付けられたトーチバーナー１０を調理台に単に乗せるだけでは、十分に安定性が確保できず、僅かな力で、ずれ動いたり、場合によっては転倒する虞れもあった（図１７）。特に、バーナー部２が未だ高温のときには、大変危険なものとなる。
トーチバーナー１０が転倒しないようにするためには、設置具２０自体の重量を重くすればよいが、「炙り」の作業時、設置具２０はトーチバーナー１０に取り付けられたままであるため、重くするにも限度がある。
また、中華料理店で提供される「炙りチャーシュー」等、油分を多く含む食材を炙る際には、食材から染み出る油分で調理人の手に「油」が付きやすくなり、手が滑ってトーチバーナー１０を落としやすくなるという調理場での固有の問題もある。
【０００７】
また、軽量化のため樹脂製で射出成形された設置具２０は、トーチバーナー１０を設置具２０自体に固定し、かつ、作業を行わない時に据え置いても転倒し難い構造とするため、凹凸のある複雑な形状となる。
しかるに、トーチバーナー１０が用いられる中華料理店等の調理場は油汚れが付着しやすい環境であるため、複雑な形状の従来の設置具２０は、凹凸が多いため、細部に油汚れが溜まりやすく、衛生的にしておくための清掃作業が面倒なものとなる。
また、設置具２０は、「炙り」の作業を行う際にもトーチバーナー１０に取り付けられたままであるため、「炙り」を客の前で行うには見栄えが悪く、エンターテイメント性を低下させることとなる。
更に、樹脂製の設置具２０は、カセットボンベ１の交換等で着脱するたびに、これを固定する爪部２１、２１、２１に繰り返し負荷が加わり、爪部２１、２１、２１が欠けやすく、耐久性に問題があった。また、設置具２０を取り付けたままトーチバーナー１０を誤って転倒させた場合にも、爪部２１、２１、２１に力が加わって欠けたり、設置具２０本体そのものが割れてしまう虞れもある。
【０００８】
また、「炙り」を行わない場合、樹脂製の設置具２０を取り付けたままのトーチバーナー１０を安全な場所に保管するには、相当の収納面積を用意しなければならず、限られた調理場で、収容スペースを余分に確保しなければならない等の問題もあった。
これを避けるため、設置具２０を使用の度に着脱すると、爪部２１、２１、２１がより欠けやすくなるという問題もある。
【先行技術文献】
【特許文献】
【０００９】
登録実用新案公報第３１８４００９号公報
この登録実用新案公報は、ガスバーナ（１）をスタンド（７）のベース部（９）の取付座（２８）に設けられた磁石（２６）によって、設置面（１１）に吸着する技術を開示している。
特開２０１４−１５２６０号公報（特願２０１２−１６６３７１）
この公開特許公報は、ガラス製の容器（４）の底部（５）に接着剤（９）でマグネットシート（６）を取り付け、着磁している面（７）によって実験台等に吸着する技術を開示する。
【００１０】
しかしながら、上記何れの公報も、トーチバーナーを調理台等に容易にかつ安全に据え置き、トーチバーナーの使用時に邪魔にならないようにした設置具を開示、示唆するものではない。ちなみに、登録実用新案公報第３１８４００９号公報は、ガスバーナ（１）を火炎を噴出させる作業時に「磁石で固定」して加熱作業をし易くする技術を開示するものである。また、特開２０１４−１５２６０号公報では、マグネットシート（６）は容器（４）に接着剤（９）で固定され、磁力は、天板（２）にのみ作用している。
【発明の概要】
【発明が解決しようとする課題】
【００１１】
本発明は、上述した事情に鑑みてなされたもので、「炙り」をしない際に調理台に据え置いた場合でも、決して倒れることがなく、「炙り」をする際には邪魔にならないトーチバーナーの設置具を提供することを課題とする。
また、トーチバーナーの設置具を単純な外形とすることで、不使用時のトーチバーナー及び設置具の収容が簡単で、しかも設置具の清掃がし易く、常に衛生的にしておくことができるトーチバーナーの設置具を提供することを課題とする。
また、単純な構造とすることで耐久性の高いトーチバーナーの設置具を提供することを課題とする。
【課題を解決するための手段】
【００１２】
上記目的を達成するため、本願の第１の発明は、カセットボンベ本体とバーナー部とからなるトーチバーナーを調理台に設置するための設置具であって、該設置具が、強磁性体ではない平板状のシート部と、該シート部に互いに離れて埋設された２つ以上の磁石とからなり、前記２つ以上の磁石は、各々、前記シート部の上面側に一方の磁極が、下面側に他方の磁極が位置するように配置されると共に、該２つ以上の磁石のうち１つの磁石は、他の磁石と磁界の向きが逆となるように配置されている。
【００１３】
また、本願の第２の発明は、強磁性体ではない平板状のシート部に、少なくとも３つの磁石が埋設され、該３つの磁石が、トーチバーナーを設置する際に前記カセットボンベ本体の底面を当接させる円形の設置領域の外周に沿って配置されている。
また、本願の第３の発明は、強磁性体ではない平板状のシート部が、前後縦長に形成され、カセットボンベ本体の底面が誘導される円形の設置領域が後方側に片寄るよう形成されると共に、少なくとも３つの磁石が、前記円形の設置領域に内接する２等辺三角形であって、当該底辺がシート部の後方に、当該頂角がシート部の前方に位置し、当該底辺が当該等辺より短くなっており、前記少なくとも３つの磁石のうち、磁界の向きが同じ少なくとも２つの磁石が、前記２等辺三角形の２つの底角の頂点に対応して配置され、前記少なくとも３つの磁石のうち、磁界の向きが逆の１つの磁石が、前記２等辺三角形の頂角の頂点に対応して配置されている。
【発明の効果】
【００１４】
本願の第１の発明によれば、トーチバーナーの設置具が、２つ以上の磁石が埋設された、強磁性体ではない平板状のシート部にて構成されているので、トーチバーナーをスチール製の調理台の上で使う場合、２つ以上の磁石の磁力によって、平板状となる設置部の上面ではトーチバーナーが吸い付けられ、設置具自体も、下面に位置するスチール製の調理台に吸い付けられるので、トーチバーナーが転倒する虞れがなくなる。
また、「炙り」を行う際に、トーチバーナーをスチール製の調理台から持ち上げると、設置具は、当接している面積が小さいトーチバーナーから外れ、当接している面積が大きいスチール製の調理台側に残るため、「炙り」の際、設置具が邪魔にならず、「炙り」のエンターテイメント性も高まる。
【００１５】
また、本願の第２の発明によれば、シート部に少なくとも３つの磁石が埋設されているので、該３つの磁石の配置によって、設置具の上面にトーチバーナーの底面を磁力で吸い付ける円形の設置領域を形成することができる。しかして、トーチバーナーを据え置く際に、トーチバーナーを当該設置領域に近づけると、３つの磁石の磁力によってトーチバーナーの底面が設置領域に誘導され、その後、磁力で強力に固定することができる。
【００１６】
また、本願の第３の発明によれば、シート部が前後縦長に形成され、円形の設置領域をシート部の後方側に片寄るよう形成することで、前方に倒れやすいトーチバーナーを設置具の後方に誘導して固定することができる。これにより、調理台が強磁性体でない場合（木製の調理台）でも、トーチバーナーが倒れ難くなる。
【００１７】
また、３つの磁石のうち１つが円形の設置領域に内接する２等辺三角形の頂角の頂点に、他の２つが底角の頂点に、各々、対応して配置されているので、前方に倒れやすいトーチバーナーの後ろ側に２つの磁石の磁力が作用することとなって、より一層、前方に倒れ難くなり、安全性が高まる。
【発明を実施するための形態】
【００１８】
以下、本発明の実施の形態について説明する。
図１は、本発明に係るトーチバーナーの設置具１００を示す斜視図、図２は、このトーチバーナーの設置具１００に実際にトーチバーナー１０を設置した状態を示す斜視図である。
トーチバーナー１０は、カセットボンベ（カセットボンベ本体）１の頭部のバルブ（図示省略）にカートリッジ型のバーナー部２を取り付けたものである（図２）。
このトーチバーナー１０は、本発明の設置具１００によって、「炙り」作業を行わないときには、調理台の上面に安全に据え置かれる。
【００１９】
このトーチバーナーの設置具１０は、強磁性体ではない素材（本実施の形態では、ポリ塩化ビニル）で形成された前後縦長の平板状のシート１１０、１２０、１３０が互いに接着された三層構造となっている（図３）。これら平板状のシート１１０、１２０、１３０によって、設置具１００の本体をなすシート部が構成される。
ここで設置具１００は、市販のカセットボンベ１を用いたトーチバーナー１０を設置するもので、カセットボンベ１の規格に応じて、その大きさ、厚さ等が決定されている（トーチバーナー１０に用いられるカセットボンベ１は、胴体の径が約６８ｍｍ）。
なお、設置具１００の上面には、バーナーの吹き出し方向を示す『矢印』が記されており、トーチバーナー１０を使用する者は、バーナー部２の向きをこの『矢印』に合わせて設置することができる。
【００２０】
具体的には、設置具１００のシート部（本体）は、図１、図３に示す横幅Ｗが９０ｍｍ、縦幅Ｌが１５０ｍｍ、厚さＤが９ｍｍとなっている。
詳細は後述するように、３つの磁石１０１、１０２ａ、１０２ｂによって設置具１００上面に円形の設置領域１００Ａ（図１、図２中、破線で示す円）が形成され、その直径は、カセットボンベ１の径に対応する。
【００２１】
設置具１００の本体（シート部）は、３つのシート１１０、１２０、１３０で構成され、このうち上下のシート１１０、１３０は、図３に示すように、厚さＤ1、Ｄ2が共に２ｍｍ、横幅Ｗが９０ｍｍ、縦幅Ｌが１５０ｍｍである。
また、設置具１００の真ん中の層を構成するシート１２０は、厚さＤ2が５ｍｍ、横幅Ｗはシート１１０、１３０と同一の９０ｍｍであるが、シート１２０の縦幅Ｌ2は、図１、図３に示すように、シート１１０、１３０の縦幅Ｌより所定幅ｄ（たとえば、５ｍｍ）だけ短くなっている。シート１２０の縦幅Ｌ2のみ短くすることで、平板状のシート１１０、１２０、１３０が互いに接着されたとき、設置具１００の前方（ガスバーナーの吹き出し方向）に凹部１００Ｂが形成される（図１、図２）。
このように設置具１００の前方に凹部１００Ｂを形成しておくことで、設置具１００が磁石１０１、１０２ａ、１０２ｂによってスチール製の調理台に強力に吸い付けられている場合でも、凹部１２０Ｂに指をかけて設置具１００を容易に引き剥がすことができるようになる。
【００２２】
なお、凹部１００Ｂを設置具１００の前方に設けるのは、設置具１００では後端の位置に２つの磁石１０２ａ、１０２ｂが配置されているのに対し、前方は、前端からやや離れた位置に磁石１０１があるのみで、磁石による吸着力が、後方に比べ弱いためである。
また、厚さＤ2（５ｍｍ）のシート１２０には、図４に示すように、所定の位置に、直径２０ｍｍの貫通穴１２１、１２２ａ、１２２ｂが形成され、この貫通穴１２１、１２２ａ、１２２ｂに、直径２０ｍｍ、厚さ５ｍｍの磁石１０１、１０２ａ、１０２ｂが各々収納される。ここで磁石１０１は上側がＮ極、下側がＳ極となるように、磁石１０２ａ、１０２ｂは、それとは逆に、上側がＳ極、下側がＮ極となるように配置されている。
【００２３】
なお、磁石１０１、１０２ａ、１０２ｂとしては、磁力が強い市販のボタン型「ネオジム磁石」を用いることができる。
これら３つの磁石１０１、１０２ａ、１０２ｂは貫通穴１２１、１２２ａ、１２２ｂに各々収容され、当該シート１２０は、上下からシート１１０、１３０で挟まれて、３つの層が互いに貼着されて、全体としてシート部（設置具１００の本体）を構成する。
【００２４】
次に、３つの磁石１０１、１０２ａ、１０２ｂの配置について、図５を参照して説明する。
３つの磁石１０１、１０２ａ、１０２ｂは、同図に示すように、前後縦長の設置具１００の本体（シート部）の後方（図中、下側）に片寄った位置に円形の設置領域１００Ａ（図中、２点鎖線で外周を示す。）が形成されるよう、当該円周に沿って、各々の磁石１０１、１０２ａ、１０２ｂが、その３分の１（面積比）程度が円内に含まれるように配置される。
このとき磁石１０１、１０２ａ、１０２ｂは、設置領域１００Ａの外周をなす円（２点鎖線）に内接する２等辺三角形の頂角の頂点Ａと、２つの底角の頂点Ｂ1、Ｂ2とに対応する位置に配置される。
【００２５】
２等辺三角形は、図５に示すように、底辺（Ｂ1−Ｂ2）が設置具１００の後方（図中、下側）に、頂角（頂点Ａ）が前方に位置し、底辺の長さが、２つの等辺の長さより短い。
また、磁石１０１、１０２ａ、１０２ｂのうち、上側がＳ極となる２つの磁石１０２ａ、１０２ｂが、２等辺三角形の底角の頂点Ｂ1、Ｂ2に対応して配置され、上側がＮ極となる磁石１０１が２等辺三角形の頂角の頂点Ａに対応して配置されている。なお、２つの磁石１０２ａの中心と１０２ｂの中心の距離Ｌtは５０ｍｍ、磁石１０１の中心と他の磁石１０２ａ、１０２ｂの中心の距離Ｌeは６０ｍｍとなっている。
【００２６】
このように、磁石１０１、１０２ａ、１０２ｂを設置具１００の円形の設置領域１００Ａの外周に沿って配置することで、トーチバーナー１０の底面１０Ａが、図６（ａ）（ｂ）（ｃ）（ｄ）の破線で示す位置まで設置具１００に近づくと、３つの磁石１０１、１０２ａ、１０２ｂの磁力によって、トーチバーナー１０の底面が、円形の設置領域１００Ａに導かれ、その後、磁力で設置領域１００Ａの中央に、安定した状態で吸い付けられる。
実際にトーチバーナー１０を設置具１００に近づけたときの動作を、図７（ａ）〜（ｄ）に示す。図７（ａ）〜（ｃ）に示す位置までトーチバーナー１０を設置具１００に近づけると、磁石１０１、１０２ａ、１０２ｂの作用によって、トーチバーナー１０の底面が設置領域１００Ａに重なるように誘導された後、トーチバーナー１０が設置具１００に確実に、かつ強力に吸い付けられる（図７（ｄ））。
【００２７】
このように構成された設置具１００を、飲食店等の調理場で実際に使用する例を、図８を用いて説明する。
図８（ａ）に示すように、スチール製の調理台３０の上に、トーチバーナー１０を設置具１００を介して据え置いた場合、３つの磁石１０１、１０２ａ、１０２ｂが埋設された設置具１００は、磁力がトーチバーナー１０とスチール製の調理台３０の双方に作用し、トーチバーナー１０を調理台３０に安全、確実に据え置くことが可能になる。
特に、カセットボンベ１内のガスの残量が減って、トーチバーナー１０の重量バランスが悪くなった場合でも、トーチバーナー１０を素早く、かつ安全確実にスチール製の調理台３０上に据え置くことができる。
【００２８】
トーチバーナー１０とスチール製の調理台３０とを比較した場合、トーチバーナー１０が設置具１００と接する面積は、設置具１００と調理台３０が接する面積より小さいため、３つの磁石１０１、１０２ａ、１０２ｂがトーチバーナー１０に作用する磁力は、調理台３０に作用する磁力より小さい。
従って、「炙り」の作業開始時に、調理台３０に安全に据え置かれたトーチバーナー１０を持ち上げると、トーチバーナー１０は設置具１００から外れ、設置具１００は調理台３０側に取り付けられたままとなる（図８（ｂ））。
このように「炙り」を行う際、設置具１００はトーチバーナー１０から離れるため、従来の設置具２０（図１５）のように、「炙り」の作業時にトーチバーナー１０に設置具がついたままにはならず、「炙り」の作業は見栄えがよくなる。
なお、調理台３０に残された設置具１００を、調理台３０から取り外す際には、前述した設置具１００の凹部１００Ｂに指をかけて容易に取り外すことができる（図８（ｃ））。
【００２９】
図９は、調理台４０が木製の例を示している。
木製の調理台４０が用いられた場合（図９）、トーチバーナー１０を持ち上げると設置具１００は、トーチバーナー１０側に付いたままとなる（図９（ｂ））。
この場合でも、設置具１００は前方に長い形状で、円形の設置領域１００Ａが、設置具１００の後方に片寄っているため、従来と同等の安定性は十分に確保できる。
木製の調理台４０を用いる際は、設置具１００とトーチバーナー１０とが接する面が小さいため、設置具１００をトーチバーナー１０から取り外すのは容易である（図９（ｃ））。
また、木製の調理台４０からスチール製の調理台３０にトーチバーナー１０を移すときは、トーチバーナー１０に設置具１００が取り付けられたままの状態で、スチール製の調理台３０に近づけると、磁力によってスチール製の調理台３０に引きつけられるので、仮にトーチバーナー１０を持つ手が油で汚れていても、トーチバーナー１０を素早く、かつ、安全確実に置くことができ、転倒の危険性がなくなる。
【００３０】
図１０は、トーチバーナー１０を使用しないときに、設置具１００を片づける一例を示す。
設置具１００は、磁石１０１、１０２ａ、１０２ｂを有しているため、スチール製の調理台３０の側面等、調理作業の邪魔とならない箇所（空きスペース）に並べて貼り付けることができ、取扱いが極めて容易である（図１０（ａ））。
また、設置具１００の磁石１０１、１０２ａ、１０２ｂの磁力を利用して、調理場で使用する「ふきん」５０を広げたまま挟んで乾かしたり（図１０（ｂ））、メモ等を留め置くクリップ代わりに利用することもできる。
また、設置具１００自体の形状は極めて単純であるため、清掃作業等も極めて容易である。特に、強磁性体ではないシート部（シート１１０、１２０、１３０）として、ポリ塩化ビニル（耐熱性：約８０度）を用いていることによって、業務用の洗浄機（水温７０度程度）で洗浄することが可能で、油汚れが付きやすい調理環境で使用しても、常に衛生的に保てる。
また、設置具１００のシート部として、ポリ塩化ビニルを用いると、欠けてる心配がないので、欠片が食材に混入する等の心配もなく、飲食店での利用に適している。
【００３１】
以上説明したようにこの実施の形態の設置具１００によれば、トーチバーナー１０をスチール製の調理台３０の上で使う場合、磁石１０１、１０２ａ、１０２ｂの磁石の磁力によって、設置具１００の上面にはトーチバーナー１０が吸い付けられ、設置具１００の下面がスチール製の調理台３０に吸い付けられるので、トーチバーナー１０が転倒する虞れがなくなる。
また、「炙り」を行う際に、トーチバーナー１０をスチール製の調理台３０から持ち上げると、設置具１００は、スチール製の調理台３０側に残るため「炙り」の際、設置具１００が邪魔にならず、「炙り」のエンターテイメント性も高まる。
【００３２】
また、３つの磁石１０１、１０２ａ、１０２ｂがトーチバーナー１０の底面１０Ａを磁力によって引きつけるので、設置具１００にトーチバーナー１０を近づけると、３つの磁石の磁力がトーチバーナー１０を円形の設置領域１００Ａに誘導し、その後、磁力で固定することができる。
【００３３】
また、３つの磁石のうち２つが設置具１００の後ろ側に配置されているので、カセットボンベ１にバーナー部２を取り付けたときに、バーナー部２により前方に倒れやすくなっているトーチバーナー１０を、後ろ側で、２つの磁石の磁力で引き付けるため、より一層倒れ難くなる。
【００３４】
なお、この実施の形態では、設置具１００を構成するシート１１０、１２０、１３０のうち真ん中のシート１２０の縦幅Ｌ2を所定幅ｄ（５ｍｍ）短くして前方に深さｄの凹部１００Ａを設けて設置具１００を引き剥がし易くしているが、たとえば、図１１に示すように設置具２００のシート２２０の横幅Ｗ、縦幅Ｌを、シート２１０、２３０と同じ寸法にし、シート２２０の前方にＶ字型の切欠き部２２０Ｂを設けて（図１１（ｂ））を設けて、Ｖ字型の空洞２００Ｂを形成し、設置具１００を調理台３０等から取り外し易くしてもよい。なお、この設置具２００でも、３つの磁石２０１、２０２ａ、２０２ｂは、円形の設置領域２００Ａの外周に沿って配置されているが、その配置の仕方は、既に説明した設置具１００と同様であり説明は省略する
【００３５】
また、上記した実施の形態では、設置具１００の本体（シート部）は長方形であるが、縦長であれば、他の形状でもよい。図１２は、トーチバーナー１０が前方に倒れやすいことを考慮して、縦方向に変形した円形の設置具３００を示す図である。
この設置具３００での、３つの磁石３０１、３０２ａ、３０２ｂの配置も、円形の設置領域３００Ａの外周に沿っており、配置の仕方は、設置具１００と同様で、その詳細な説明は省略する。
【００３６】
また、上述した実施の形態では、設置具１００の本体の形状は、トーチバーナー１０が前後に倒れやすいことから、前後に長い形状としたが、スチール製の調理台３０でのみ使用するのであれば、図１３に示すように、設置具４００の本体（シート部）の縦幅を短くして、より正方形に近い形状にしてもよい。
これは設置具４００に埋設された３つの磁石４０１、４０２ａ、４０２ｂによって、トーチバーナー１０がスチール製の調理台３０に強力に吸い付けられるため、トーチバーナー１０が転倒する虞れがないから、スチール製の調理台専用であれば、あえて縦長にする必要性がないからである。この設置具４００でも、３つの磁石４０１、４０２ａ、４０２ｂは、円形の設置領域４００Ａの外周に沿って配置されている。
【００３７】
また、上記した実施の形態では、設置具１００の本体（シート部）に３つの磁石１０１、１０２ａ、１０２ｂを円形の設置領域１００Ａに沿って配置したが、図１４に示すように設置具５００の円形の設置領域５００Ａの前後に２つの磁石５０１、５０２を設置してもよい。この場合でも、磁石５０１、５０２の作用によって、トーチバーナー１０を設置領域５００Ａに誘導して、吸着することが可能である。また、設置具５００を用いた場合も、トーチバーナー１０の使用時に設置具５００が調理台３０側に残るため、「炙り」などの作業が容易となる。
【００３８】
また、この実施の形態では、強磁性体ではないシート部（シート１１０、１２０、１３０等）の素材としてポリ塩化ビニルを用いる例を示したが、強磁性体ではない他の素材、例えば、欠ける虞れのない材料であれば、アクリル板、シリコン、その他樹脂製のシートを用いてもよい。
さらに、上述した実施の形態の設置具１００は、上側、下側を定義して磁石１０１、１０２ａ、１０２ｂのＳ極とＮ極の配置を説明したが、設置具１００は構造上、上側／下側（裏表）の別はなく、全ての磁石のＮ極とＳ極を全て逆にしても、設置具１００を裏返したのと同じであり、上下どちらの面にトーチバーナー１０を付けてもよいのは、当然である。
【産業上の利用可能性】
【００３９】
飲食物の提供を行う店舗のみならず、家庭のキッチンでも、当然、同様の効果を得ることができる。また、カセットボンベを用いたトーチバーナーの全ての用途（たとえば、屋外での作業）でも、設置する面を強磁性体にすれば、同様の効果が得られる。
【図面の簡単な説明】
【００４０】
【図１】設置具１００の全体構成を示す斜視図である。
【図２】トーチバーナー１０を設置具１００に取り付けた状態を示す斜視図である。
【図３】設置具１００の構造を示す分解斜視図である。
【図４】設置具１００のシート部１２０に磁石１０１、１０２ａ、１０２ｂを埋設する状態を示す斜視図である。
【図５】設置具１００における磁石１０１、１０２ａ、１０２ｂの配置を示す説明図である。
【図６】設置具１００にトーチバーナー１０を近づけた際の磁石１０１、１０２ａ、１０２ｂの作用を示す説明図である。
【図７】設置具１００にトーチバーナー１０を近づけた際のトーチバーナー１０の動きを示す説明図である。
【図８】設置具１００とトーチバーナー１０をスチール製の調理台３０上で使用した状態を示す説明図である。
【図９】設置具１００とトーチバーナー１０を木製の調理台４０上で使用した状態を示す説明図である。
【図１０】トーチバーナー１０を使用しない時に設置具１００を並べて片付ける例を示す説明図である。
【図１１】中間のシート２２０にＶ字の切欠き部を設けた設置具２００の全体構成を示す斜視図である。
【図１２】シート部を縦長の円形で構成した設置具３００の全体構成を示す斜視図である。
【図１３】縦幅を短くしてシート部の形状を正方形に近づけた設置具４００の全体構成を示す斜視図である。
【図１４】２つの磁石５０１、５０２が埋設された設置具５００の全体構成を示す斜視図である。
【図１５】従来の樹脂性の設置具２０を示す斜視図である。
【図１６】従来の樹脂性の設置具２０にトーチバーナー１０を取り付けた状態を示す斜視図である。
【図１７】従来の樹脂性の設置具２０に取り付けられたトーチバーナー１０が転倒した状態を示す斜視図である。
【符号の説明】
【００４１】
１  カセットボンベ（カセットボンベ本体）
２  バーナー部（バーナーアタッチメント）
１０  トーチバーナー
１００  設置具
１００Ａ  円形の設置領域
１００Ｂ  凹部
１０１、１０２ａ、１０２ｂ  磁石
１１０、１２０、１３０  シート
【図１】
2018179427.tif 000003
【図２】
2018179427.tif 000004
【図３】
2018179427.tif 000005
【図４】
2018179427.tif 000006
【図５】
2018179427.tif 000007
【図６】
2018179427.tif 000008
【図７】
2018179427.tif 000009
【図８】
2018179427.tif 000010
【図９】
2018179427.tif 000011
【図１０】
2018179427.tif 000012
【図１１】
2018179427.tif 000013
【図１２】
2018179427.tif 000014
【図１３】
2018179427.tif 000015
【図１４】
2018179427.tif 000016
【図１５】
2018179427.tif 000017
【図１６】
2018179427.tif 000018
【図１７】
2018179427.tif 000019